(57)【特許請求の範囲】
【請求項１】
画像データに割り当てられたコードを画像選択用データとして通信相手に送信する第１の手段と、
通信相手が画像選択用データとして送信してきたコードが割り当てられている画像データを複数種類の画像データを記憶している記憶手段から読み出して表示する第２の手段と、
センサと、を備え、
前記センサは、振動センサ、加速度センサ、または角速度センサのうちのいずれかであって、通話時に、話者が移動状態または静止状態のいずれの状態にあるかを検知し、
該画像選択用データとして送信するコードは、前記センサによる検知結果に応じて選択され、
該画像データは、割り当てられたコードに応じて、話者が移動状態または静止状態であることを示すキャラクタを表すことを特徴とする通信端末装置。
【発明の詳細な説明】
【０００１】
【発明の属する技術分野】
本発明は、携帯電話装置、携帯情報端末装置などの送信機能と受信機能との少なくとも一方を備えた通信端末装置に関するものである。
【０００２】
【従来の技術】
実開平６−６２６６４号公報に開示されているファックス機能付き携帯電話のように、従来から、静止画または動画を伝送するＦＡＸ電話、ＴＶ電話などの通信端末装置が存在する。
【０００３】
【発明が解決しようとする課題】
しかしながら、このような従来の装置では、画像データそのものを伝送していたため、伝送データ量が大きくなり、現行のアナログ、デジタル回線ではリアルタイムに伝送することが難しい。具体的には、ＶＧＡ（６４０×４８０ドット、約３０万画素）程度の画像データであっても、フルカラーでは膨大なデータ量となる。同時発色数を２５６色に落としても１画面が３００ｋｂｙｔｅのデータとなり、３２ｋｂｐｓの速度で伝送しても、１０秒近くかかってしまう。このように、リアルタイムでの伝送ができないので、コミュニケーションを円滑に行うことができなかった。
【０００４】
そこで、本発明は、文書や音声でのコミュニケーションをより円滑に行うことができるようにした通信端末装置を提供することを目的とする。
【０００７】
【課題を解決するための手段】
上記の目的を達成するため、本発明の通信端末装置では、画像データに割り当てられたコードを画像選択用データとして通信相手に送信する第１の手段と、通信相手が画像選択用データとして送信してきたコードが割り当てられている画像データを複数種類の画像データを記憶している記憶手段から読み出して表示する第２の手段と、センサとを備え、前記センサは、振動センサ、加速度センサ、または角速度センサのうちのいずれかであって、通話時に、話者が移動状態または静止状態のいずれの状態にあるかを検知し、該画像選択用データとして送信するコードは、前記センサによる検知結果に応じて選択され、該画像データは、割り当てられたコードに応じて、話者が移動状態または静止状態であることを示すキャラクタを表すものとしている。
【０００８】
【発明の実施の形態】
以下に、本発明の実施形態を図面を参照しながら説明する。図１は本発明の第１実施形態である携帯電話装置のブロック図である。マイク１は入力された音声を電気信号に変換する。マイク１で得られた電気信号は通信処理部２にて所定の信号処理が施された後、通信部３にて変調されてアンテナ４から送信される。アンテナ４で受信された信号は通信部３にて復調された後、通信処理部２にて所定の信号処理が施された後、スピーカ５で音声に変換されて出力される。
【０００９】
ユーザはキー入力部６から当該装置に対して命令を入力することができる。制御部７−１は、装置全体としての動作がキー入力部６から入力される命令に応じたものとなるように各部を制御する。液晶表示部８は制御部７−１による制御の下で所定の表示を行う。
【００１０】
記憶部９には、図２に示すようなウサギの基本パターン１−０、ネコの基本パターン２−０、タヌキの基本パターン３−０、及び、図３に示すようなウサギの喜びのパターン１−１、悲しみのパターン１−２、疑問のパターン１−３、怒りのパターン１−４など、複数の種類及び複数のパターンの表示キャラクタの画像データが記憶されている。そして、これらの各表示キャラクタには異なるコードが割り当てられている。尚、記憶部９をＥＥＰＲＯＭやＲＡＭで構成するなどして、記憶させておく表示キャラクタを書き換えることができるようにしておいてもよい。
【００１１】
そして、制御部７−１の制御により、通話時には、予め選択された表示キャラクタが記憶部９から読み出されて液晶表示部８に自キャラクタとして表示されるとともに、予め選択された表示キャラクタに割り当てられているコードが表示キャラクタ選択用データとして送信される。
【００１２】
また、通信処理部２は、受信した信号の中から通信相手が表示キャラクタ選択用データとして送信してきたコードを抽出して制御部７−１に与えるようになっており、制御部７−１は、この通信処理部２から与えられるコードが割り当てられている表示キャラクタが記憶部９から読み出されて液晶表示部８に相手キャラクタとして表示されるように制御する。
【００１３】
尚、使用者はキー入力部６で所定のキー操作を行うことにより、キャラクタの種類（ウサギ、ネコ、タヌキなど）及びキャラクタのパターン（喜び、悲しみ、疑問、怒りなど）を選択することができるようなっている。
【００１４】
次に、本発明の第２実施形態である携帯電話装置のブロック図を図４に示す。尚、上記第１実施形態のブロック図と同一部分には同一符号を付して説明を省略する。音声振幅強度測定部１０は、マイク１に入力された音声振幅強度を測定し、その測定結果を制御部７−２に与える。話者特定部１１は、マイク１に入力された音声パターンから話者を特定し、特定した話者を示すデータを制御部７−２に与える。
【００１５】
そして、制御部７−２の制御により、通話時には、音声振幅強度測定部１０での入力音声振幅強度の測定結果が閾値を越えると、表示キャラクタ選択用データとして送信されるコードが、その話者に対応したキャラクタの予め選択されたパターンに割り当てられたコードに切り替わり、一定時間後に基本パターンに割り当てられたコードに切り替わる。
【００１６】
また、制御部７−２は、通信相手に対して表示キャラクタ選択用データとして送信するコードが割り当てられている表示キャラクタが記憶部９から読み出されて液晶表示部８に自キャラクタとして表示されるとともに、通信処理部２から与えられるコード（通信相手から表示キャラクタ選択用データとして送信されてきたコード）が割り当てられている表示キャラクタが記憶部９から読み出されて液晶表示部８に相手キャラクタとして表示されるように制御する。
【００１７】
したがって、通話時には、音声振幅強度測定部１０での入力音声振幅強度の測定結果が閾値を越えると、対話者の装置の液晶表示部８に相手キャラクタとして表示されるキャラクタが、話者に対応したキャラクタの予め選択されたパターンに切り替わり、一定時間後に基本パターンに戻る。
【００１８】
尚、入力音声振幅強度に関する上記閾値は、使用者により設定可能としておいてもよい。また、表示されるキャラクタが、特定の話者の音声が入力されたときにだけ、予め選択されたパターンに切り替わるように制御して、特定の話者の音声入力の有無により表示の切り替えを行うようにしてもよい。また、表示キャラクタ選択用データを送信しないようにし、例えば受信した音声の振幅強度に基づいて表示するキャラクタを受信側で独自に切り替えるようにしてもよい。
【００１９】
以上より、上記第１、第２の各実施形態では、例えば表示キャラクタのパターンとして喜びのパターンを選択しておけば、通話時には対話者の装置に喜びのパターンのキャラクタが表示され、「対話を歓迎している」などの意向を対話者に伝達することが可能となる。そして、表示キャラクタの画像そのものを伝送するのではなく、表示キャラクタに割り当てたコードを伝送するようになっているので、伝送データ量が大幅に増大することはなく、リアルタイムの伝送が可能となる。したがって、音声でのコミュニケーションをより円滑に行うことができるようになる。また、使用者が選択したパターンのキャラクタ、すなわち、対話者の装置に表示されるパターンのキャラクタが使用者の装置にも表示されるので、それを目で確認することができ、便利である。
【００２０】
次に、本発明の第３実施形態である携帯電話装置のブロック図を図５に示す。尚、上記第１実施形態のブロック図と同一部分には同一符号を付して説明を省略する。制御部７−３は、センサ１２の出力により、話者の状態、具体的には、話者の歩行周期を認識することができるようになっている。尚、センサ１２としては、例えば、振動センサ、加速度センサ、角速度センサなどを用いればよい。
【００２１】
そして、制御部７−３の制御により、通話時には、話者が移動状態にある場合は、例えばウサギの喜びのパターンが選択されているとすると、図６の（イ）に示すウサギの喜びのパターンに対応する状態変化キャラクタ１−５と１−６とに割り当てられているコードが話者の歩行周期に応じて交互に表示キャラクタ選択用データとして送信される。
【００２２】
尚、話者が静止状態にあるときには、状態変化キャラクタへ移行することはなく、例えばウサギの喜びのパターンが選択されている場合には、図６の（ロ）に示すように、ウサギの喜びのパターンのキャラクタ１−０が対話者の装置の液晶表示部８に常時表示されるように表示キャラクタ選択用データが送信される。
【００２３】
また、制御部７−３は、通信相手に対して表示キャラクタ選択用データとして送信するコードが割り当てられている表示キャラクタが記憶部９から読み出されて液晶表示部８に自キャラクタとして表示されるとともに、通信処理部２から与えられるコード（通信相手から表示キャラクタ選択用データとして送信されてきたコード）が割り当てられている表示キャラクタが記憶部９から読み出されて液晶表示部８に相手キャラクタとして表示されるように制御する。
【００２４】
したがって、通話時に話者が移動状態にある場合は、例えばウサギの喜びのパターンが選択されているとすると、対話者の装置の液晶表示部８に相手キャラクタとして表示されるキャラクタが、図６の（イ）に示すように、ウサギの喜びのパターンに対応する状態変化キャラクタ１−５と１−６とに話者の歩行周期に応じて交互に切り替わる。
【００２５】
このように、本第３実施形態では、話者の状態（移動中であるのか静止しているか、移動中であればその移動速度）を対話者の装置に表示されるキャラクタに反映させることができるので、対話者に対して自分の状態を伝達することができるようになる。そして、表示キャラクタの画像そのものを伝送するのではなく、表示キャラクタに割り当てたコードを伝送するようになっているので、伝送データ量が大幅に増大することはなく、リアルタイムの伝送が可能となる。したがって、音声でのコミュニケーションをより円滑に行うことができるようになる。
【００２６】
次に、本発明の第４実施形態である携帯電話装置のブロック図を図７に示す。キー入力部６でのキー操作により、または、マイク１に音声で送信文書が入力される。音声で送信文書が入力された場合には、音声認識部１３がマイク１から出力される音声信号を文書データに変換して制御部７−４に与える。そして、制御部７−４は、入力された送信文書が液晶表示部８に表示されるとともに、場合によっては、音声合成部１４を用いてスピーカ５から音声で出力する。これにより、使用者は送信文書を確認することができる。
【００２７】
そして、制御部７−４の制御により、文書の送信時には、予め選択された音声パターン（男性の声であるか、それとも女性の声であるか、低い声であるか、高い声であるか、それとも普通の声であるか、などの情報を示すデータ）に割り当てられているコードが音声パターン選択用データとして、また、予め選択された表示キャラクタに割り当てられているコードが表示キャラクタ選択用データとして、それぞれ送信文書のヘッダに添付して送信される。
【００２８】
また、制御部７−４の制御により、文書の受信時には、受信文書に加えて、受信データのヘッダに表示キャラクタ選択用データとして添付されているコードに対応する表示キャラクタが記憶部９から読み出されて液晶表示部８に表示されるとともに、場合によっては、音声合成部１４を用いて、受信データのヘッダに音声パターン選択用データとして添付されているコードに対応する音声で受信文書がスピーカ５から出力される。
【００２９】
尚、音声パターンに割り当てるコードをアスキーコードで記述しておけば、音声パターンを文書として表示することも可能となる。また、ヘッダにデータがない場合には、予め選択された標準の音声で受信文書を出力するようになっている。
【００３０】
また、入力された文書（送信文書）、受信文書のそれぞれについて、スピーカ５から音声で出力させるようにするかしないかを、使用者はキー入力部６で所定のキー操作を行うことにより切り替えることができるようになっている。また、使用者はキー入力部６で所定のキー操作を行うことにより、任意の種類の音声パターンを選択することができるようになっている。
【００３１】
以上より、本第４実施形態では、受信側では、受信した文書が表示されることに加えて、送信側で選択されたキャラクタが表示されるとともに、受信した文書が送信側で選択された声で再生されるので、送信者を特定しやすくなる。そして、表示キャラクタの画像そのものを伝送するのではなく、表示キャラクタに割り当てたコードを伝送するようになっているので、伝送データ量が大幅に増大することはなく、リアルタイムの伝送が可能となる。したがって、３者以上による文書でのコミュニケーションをより円滑に行うことができるようになる。
【００３２】
【発明の効果】
以上説明したように、本発明の通信端末装置によれば、伝送データ量を大幅に増加させることなく、状況に応じて変化する表示キャラクタ（画像）を文書や音声でのコミュニケーションに付け加えることができるので、リアルタイムの伝送が可能となり、表情や身ぶり手振りを付けて行うコミュニケーションとほぼ同じレベルで円滑に行うことができるようになる。
【図面の簡単な説明】
【図１】  本発明の第１実施形態である携帯電話装置のブロック図である。
【図２】  表示キャラクタの基本パターンの一例を示す図である。
【図３】  表示キャラクタの基本パターン以外のパターンの一例を示す図である。
【図４】  本発明の第２実施形態である携帯電話装置のブロック図である。
【図５】  本発明の第３実施形態である携帯電話装置のブロック図である。
【図６】（イ）話者が移動している場合に、対話者の装置に表示されるキャラクタの一例を示す図である。
（ロ）話者が静止している場合に、対話者の装置に表示されるキャラクタの一例を示す図である。
【図７】  本発明の第４実施形態である携帯電話装置のブロック図である。
【符号の説明】
１    マイク
２    通信部
３    通信処理部
４    アンテナ
５    スピーカ
６    キー入力部
７−１、７−２、７−３、７−４    制御部
８    液晶表示部
９    記憶部
１０    音声振幅強度測定部
１１    話者特定部
１２    センサ
１３    音声認識部
１４    音声合成部
【図１】
0003953258.tif 000002
【図２】
0003953258.tif 000003
【図３】
0003953258.tif 000004
【図４】
0003953258.tif 000005
【図５】
0003953258.tif 000006
【図６】
0003953258.tif 000007
【図７】
0003953258.tif 000008